(57)【特許請求の範囲】
【請求項１】
動力変換機構の一部を備えると共に、錠ケース内に装備したバネ部材のバネ力により、先端部が常時錠ケースから突出するように付勢された水平トリガーと、同じく動力変換機構の一部を備えると共に、錠ケース内に軸支され、かつ、水平トリガーの後退動に連動してストライクと掛合する方向へ回転する鎌片とから成る引戸錠の鎌片送出し機構に於いて、前記水平トリガー３５は、引戸１の閉戸時に、ストライク３１の受板３２前面に当たる小トリガー片３７及び該小トリガー片を常時突出方向へと付勢する小トリガー片用バネ４５を介し、かつ、第一次作動バネ４３のバネ力に抗して後退動するトリガー本体３６と、このトリガー本体の先端部３６ａに摺動自在に嵌合する前記小トリガー片３７とから成ることを特徴とする引戸錠の鎌片送出し機構。
【請求項２】
請求項１に於いて、小トリガー片３７は、戸枠３０と引戸１との間に生じた若干の隙間ａを有する状態で引戸を引き寄せた場合に、トリガー本体３６に対して小トリガー片用バネ４５のバネ力に抗して後退可能なことを特徴とする引戸錠の鎌片送出し機構。
【請求項３】
請求項１に於いて、トリガー本体３６は、中央部の仕切壁４０を基準として先端部側のバネ収納部４１に小トリガー片用バネ４５と、小トリガー片３７が組込まれ、一方、後端部側のバネ収納部４２には、前記小トリガー片用バネ４５よりもバネ圧が弱く設定された第一次作動バネ４３が組込まれていることを特徴とする引戸錠の鎌片送出し機構。
【発明の詳細な説明】
【０００１】
【発明の属する技術分野】
本発明は、引戸錠の鎌片送出し機構に関する。
【０００２】
【従来の技術】
従来、鎌片送出し機構の基本的構成は、実開昭５７−１１０２６０号に記載されている。この公報に記載の実施例では、「長杆状水平トリガーが、錠ケースに摺動自在に装着されている。そして、該水平トリガーは、その先端部が錠ケース内に装備したバネ部材のバネ力により、常時錠ケースから突出するように付勢されている。一方、錠ケース内に軸支された鎌片は、水平トリガーに設けたラックと鎌片に設けたピニオンによる動力変換機構を介し、水平トリガーの水平移動に連動して進退動可能である。」
上記構成に於いては、引戸を閉じる際、引戸錠を構成する水平トリガーの先端部がストライクの受板の前面に当たる。これにより鎌片は、バネ部材のバネ力に抗して後退する水平トリガーの移動に連動して係合方向へと回転送出される。
【０００３】
しかしながら、上記鎌片送出し機構は、後退する水平トリガーが、錠ケース内に完全に後退した時に、つまり、水平トリガーの先端部が錠ケース内に略入り込んだ時に始めて鎌片を完全掛合の状態にすることができるので、戸枠と引戸との間のチリ（例えば５ｍｍ程度の隙間）が大きいと、鎌片を最後まで回転（完全掛合の状態：施錠状態に）させることが困難である、と言う問題点があった。
【０００４】
【発明が解決しようとする課題】
本発明は、従来の基本的構成の有する問題点に鑑み、簡単な機構と合理的手段によって「チリが大きくても」鎌片を最後まで回転させることができる引戸錠の鎌片送出し機構を提供することを目的とする。その要旨は、二重トリガー構造を採用した点である。
【０００５】
【課題を解決するための手段】
本発明の引戸錠の鎌片送出し機構は、動力変換機構の一部を備えると共に、錠ケース内に装備したバネ部材のバネ力により、先端部が常時錠ケースから突出するように付勢された水平トリガーと、同じく動力変換機構の一部を備えると共に、錠ケース内に軸支され、かつ、水平トリガーの後退動に連動してストライクと掛合する方向へ回転する鎌片とから成る引戸錠の鎌片送出し機構に於いて、前記水平トリガーは、引戸の閉戸時に、ストライクの受板前面に当たる小トリガー片及び該小トリガー片を常時突出方向へと付勢する小トリガー片用バネを介し、かつ、第一次作動バネのバネ力に抗して後退動するトリガー本体と、このトリガー本体の先端部に摺動自在に嵌合する前記小トリガー片とから成ることを特徴とする。
【０００６】
上記構成に於いて、小トリガー片は、戸枠と引戸との間に生じた若干の隙間を有する状態で引戸を引き寄せた場合に、トリガー本体に対して小トリガー片用バネのバネ力に抗して後退可能なことを特徴とする。
【０００７】
【発明の実施の形態】
図１乃至図７により本発明の実施形態の一実施例を説明する。まず発明の実施の環境について説明する。１は引戸錠Ｘを有する引戸、２は引戸１の縦框に内装された錠ケースで、該錠ケース２は引戸錠Ｘの構成の一部を成す。３は錠ケース２の開口部４側に固定されたフロント、５は鎌片ロック用の一例としてのスライド操作板で、このスライド操作板５は錠ケース２の奥部（図１では右側）に縦長状に組込まれている。
【０００８】
６は端部が錠ケース２に固定したバネ取付用支軸７及びスライド操作板５に固定したピン８にそれぞれ巻き付けられたスライド操作板用バネ、９は錠ケースの適宜箇所に設けられた複数個のガイド片で、これらのガイド片９は上下方向に摺動する縦長状スライド操作板５を案内する機能を有する。
【０００９】
また錠ケース２内の下部には、スライド操作板５と連動する複数個の係合部材が組込まれている。その一つは、フロント３側に第１横軸１１を介して設けられた鎌片用係合片１２である。この鎌片用係合片１２は、錠ケース２の底壁２ａに形成した切欠部１３から下方へと垂れる長板状バネ受部１４の上端部に突起状係止部１５を有する。この突起状係止部１５は、鎌片の仮施錠時或いは完全な掛合時に鎌片を係止する機能を有する。
【００１０】
１６は中央部が第１横軸に巻装された係合片用バネで、この係合片用バネ１６の一端部はフロント３の内壁面に、一方、他端部は長板状バネ受部１４にそれぞれ圧接している。
【００１１】
他の一つは、鎌片用係合片１２が係止機能を発揮した際に、該鎌片用係合片１２の回転を阻止するストッバー片１８である。このストッバー片１８は、横軸１１とスライド操作板５のアーム１７との間に位置するように錠ケース２に軸架された第２横軸１９に軸支されている。このストッバー片１８は、後端部（図１では右側）に前記アーム１７の下端部に形成した切欠状係合面２０に係合する係合ピン２１を有している。なお、２２はストッバー片１８の先端部１８ａを受ける回転規制用受板である。
【００１２】
以上が発明の実施の環境であるが、これらの環境部材は、本発明の特定要件ではないので、具体的な作用についての説明は割愛する。そこで、以下、本発明の主要部について説明する。
【００１３】
本発明の要旨は、戸枠３０に取り付けられたストライク３１の受板３２の前面に突き当たるトリガーの構成を「二重トリガー構造」にした点である。
【００１４】
そこで、二重トリガー構造を採用した引戸錠Ｘの鎌片送出し機構Ｙについて説明する。まず水平トリガー３５は、トリガー本体３６と、このトリガー本体３６の先端部３６ａに摺動自在に嵌合するピン状の小トリガー片３７とから成る。
【００１５】
前記トリガー本体３６は、図３で示すように全体として長杆状に形成されている。トリガー本体３６は、その外側壁に錠ケース２の側壁２ｂに横方向に形成した水平案内部（ガイド溝、切欠部など）２３に係合する凸条係合部３８を有する。したがって、トリガー本体３６は、凸条係合部３８を介して錠ケース２に摺動自在に組込まれる。またトリガー本体３６の下部側壁には、動力変換機構の一部（本実施例ではラック）３９を備えている。また図３を基準にすると、トリガー本体３６は中央部に仕切壁４０を有し、この仕切壁４０の左右に端面に至る横穴状のバネ収納部４１、４２が形成されている。
【００１６】
しかして、トリガー本体３６の後端部側に相当するバネ収納部４２には、第一次作動バネ４３が組込まれている。この第一次作動バネ４３は、（１）トリガー本体３６の先端部３６ａが常時錠ケース２から突出するように付勢する機能、（２）引戸１の閉戸時に、ストライク３１の受板３２の前面に小トリガー片３７が当たると、該小トリガー片を常時突出方向へと付勢する小トリガー片用バネ４５が収縮前にまず収縮し、トリガー本体３６を後退動させる機能を有する。したがって、第一次作動バネ４３のバネ力は、小トリガー片用バネ４５のそれよりも「弱く」設定されている。
【００１７】
一方、トリガー本体３６の先端部側に相当するバネ収納部４１には、前記小トリガー片用バネ４５が組込まれている。この小トリガー片用バネ４５は、（ａ）小トリガー片３７の先端部３７ａをトリガー本体３６の先端部から常時突出するように付勢する機能、（ｂ）戸枠３０と引戸１との間に若干の隙間ａが生じた状態に於いて鎌片５０が完全掛合状態となった時に、引戸をさらに引き寄せた場合に、第一次作動バネ４３のバネが収縮状態であるにも拘わらず、小トリガー片３７をトリガー本体３６内に後退させる機能を有する。
【００１８】
前記小トリガー片３７は、本実施例では全体としてピン状に形成され、バネ収納部４１に小トリガー片用バネ４５と共に組込まれている。この小トリガー片３７の後端部にはフランジ４６が形成されている。このフランジ４６は、トリガー本体３６のバネ収納部４１とバネ収納部４２との境に形成された段差状係止面４７に係合する。
【００１９】
鎌片５０は、同じく動力変換機構の一部（ピニオン）５１を備えると共に、錠ケース内に固定軸５２を介して軸支され、かつ、水平トリガー３５の後退動に連動してストライク３１と掛合する方向へ回転する。なお、鎌片５０は、ストライク３１の受板３２と係合する先端部５３や前述した鎌片用係合片１２の係合する後端部５４を有する。
【００２０】
上記構成において、図１は鎌片５０がストライク３１から外れた状態の一例を示す。一方、図７は鎌片５０を施錠状態にした後、引戸１を戸枠３０側に引き寄せ、隙間ａが１ｍｍ程度になった場合を示す。この両図の対比から明らかなように、引戸錠Ｘが解錠状態でかつ引戸１を開放すると（この場合には引戸１は戸枠３０から相当離れている）、水平トリガー３５の先端部３６ａ、３７ａは全て所定位置まで突出する。すなわち、スライド操作板５が下降し、また鎌片用係止片１２からの係合を解かれた鎌片５０は、第一次作動バネ４３のバネ力によって前進したトリガー本体３６により、動力変換機構３９、５１を介して錠ケース２内へと回転する。この場合図２で示すように小トリガー片３７の先端部３７ａは、障害物が存在しないので、バネ４５のバネ力により突出している。
【００２１】
ここで図４乃至図６を参照に主要部材の作動について説明する。引戸１を閉めていくと、当然戸枠３０側のストライク３１の受板３２に小トリガー片３７が突き当たる。図４は、引戸１の閉戸時に、まずトリガー本体３６が、ストライク３１の受板３２前面に当たる小トリガー片３７及び該小トリガー片を常時突出方向へと付勢する小トリガー片用バネ４５を介し、かつ、第一次作動バネ４３のバネ力に抗して後退動した場合の一例を示している。この場合第一次作動バネ４３のみが収縮するので、トリガー本体３６のみが錠ケース２内に後退する。もちろん、鎌片５０はトリガー本体３６の後退に従って固定軸５３を支点に回転する。
【００２２】
図５は、引戸１を閉じた場合に於いて、５ｍｍ程度の間隙（チリ）ａが存在していても鎌片５０はストライク３１に完全掛合した場合を示している。なお、ここで「完全掛合」とは、鎌片５０が略完全に係合方向へ回転したことを意味し、必ずしも、鎌片５０の先端部５３が受板３２に裏面に当接することを意味しない。また、このような場合（チリが比較的大きい場合）に小トリガー片３７がトリガー本体３６内に多少後退しているか否かを問わない。要は本発明の水平トリガー３５は、小トリガー片３７の先端部３７ａが受板３２の前面に当接した状態で鎌片５０を完全掛合の状態にすることができる。
【００２３】
図６は、鎌片５０が完全掛合の状態に於いて、引戸１を戸枠３０側に引き寄せ、その時の若干の間隙ａが「３ｍｍ程度」の場合を示している。この場合小トリガー片３７がバネ４５のバネ力に抗してトリガー本体３６内に後退する。
【００２４】
【実施例】
実施例ではトリガー本体３６の先端部３６ａには、ピン状の小トリガー片３７が摺動自在に嵌入しているが、設計如何によっては小トリガー片３７をキャップ状に形成し、トリガー本体３６の先端部３６ａにキャップ状小トリガー片３７を、バネ４５を介して外嵌合しても良い。
【００２５】
【発明の効果】
以上の説明から明らかなように、本発明にあっては、次に列挙するような作用・効果がある。
（１）水平トリガー３５は、少なくとも小トリガー片３７の先端部３７ａが受板３２の前面に当接した状態で鎌片５０を完全掛合の状態にすることができる。したがって、チリが大きくても、例えば間隙が５ｍｍ以内であれば、鎌片を最後まで回転させることができる。
（２）トリガーを二重構造にした上で、第一次作動バネ４３のバネ力を、小トリガー片用バネ４５のそれよりも弱く設定したので、５ｍｍ程度の完全掛合から引戸を単に引き寄せるだけで、例えば３ｍｍ程度完全掛合の状態を得ることができる。
（３）簡単な機構と合理的手段によって「チリが大きくても」鎌片を最後まで回転させることができる。組合わせが容易である。
【図面の簡単な説明】
図１乃至図７は本発明の一実施例を示す各説明図。
【図１】鎌片がストライクから外れた状態の一例を示す概略説明図。
【図２】主要部材の概略説明図。
【図３】主要部材の分解説明図（一部縦断面で示す）。
【図４】トリガー本体が作動し始めた状態の説明図。
【図５】隙間ａが５ｍｍ程度の場合に於いて、鎌片が完全掛合した状態の説明図。
【図６】隙間ａが３ｍｍ程度の場合に於いて、鎌片が完全掛合した（又は引戸を引き寄せた）状態の説明図。
【図７】隙間ａが１ｍｍ程度の場合に於いて、鎌片が完全掛合した（又は引戸を引き寄せた）状態の説明図。
【符号の説明】
Ｘ…引戸錠、Ｙ…鎌片送出し機構、１…引戸、２…錠ケース、３…フロント、５…スライド操作板、６…スライド操作板用バネ、７…支軸、１２…鎌片用係止片、１８…ストッパー片、３０…戸枠、３１…ストライク、３２…受板、３５…水平トリガー、３６ａ，３７ａ…先端部、３６…トリガー本体、３７…小トリガー片、３８…凸条係合部、３９，５１…動力変換機構、４０…仕切壁、４１，４２…バネ収納部、４３…第一次作動バネ、４５…小トリガー片用バネ、４６…フランジ、５０…鎌片、５２…固定軸、５３…先端部、５４…後端部、ａ…間隙。
【図１】
0004111658.tif 000002
【図２】
0004111658.tif 000003
【図３】
0004111658.tif 000004
【図４】
0004111658.tif 000005
【図５】
0004111658.tif 000006
【図６】
0004111658.tif 000007
【図７】
0004111658.tif 000008